(57)【要約】  屋外照明器具のための照明ユニット１１０は、磁気センサモジュール２１５を含む。照明ユニット１１０は、さらに、センサモジュール２１５に結合されたコントローラ２１０を含む。コントローラ２１０は、センサモジュール２１５を使用して、センサモジュール２１５の検出範囲によって定められる領域内の乗り物の交通の測定結果を決定し、また、センサモジュール２１５を使用して、照明ユニットの現在向きを決定する。
2017501547.tif 000002
【特許請求の範囲】
【請求項１】
屋外照明器具のための照明ユニットであって、
異方性磁気抵抗センサモジュールと、
前記センサモジュールに結合されたコントローラであって、
前記センサモジュールを使用して、前記センサモジュールの検出範囲によって定められる領域内の乗り物の交通の測定結果を決定し、
前記センサモジュールを使用して、前記照明ユニットの現在向きを決定する、コントローラと
を含む、照明ユニット。
【請求項２】
屋外照明ネットワークのコントローラと通信するための送信機をさらに含み、前記照明ユニットコントローラは、さらに、前記照明ユニットの運転前フェーズ中、前記送信機を使用して、前記現在向きの指標を前記ネットワークコントローラに送信する、請求項１に記載の照明ユニット。
【請求項３】
屋外照明ネットワークのコントローラと通信するための送信機をさらに含む請求項１に記載の照明ユニット、又は請求項２に記載の照明ユニットであって、
前記照明ユニットの運転フェーズ中、前記照明ユニットコントローラは、さらに、
前記現在向きの変化の大きさを決定し、
前記変化の大きさが閾値を超えるとの決定に応じて、前記送信機を使用して、前記ネットワークコントローラに故障の指標を送信する、請求項１又は２に記載の照明ユニット。
【請求項４】
前記コントローラは、さらに、前記乗り物の交通の測定結果が、交通量が閾値未満であることを示すと決定されることに応じて、前記照明ユニットの光出力を下げる、請求項１乃至３のいずれか一項に記載の照明ユニット。
【請求項５】
前記コントローラは、前記乗り物の交通の測定結果を決定する際、前記照明ユニットの向きを考慮に入れる、請求項１乃至４のいずれか一項に記載の照明ユニット。
【請求項６】
前記乗り物の交通の測定結果は、進行方向測定結果を含み、前記進行方向測定結果は、前記照明ユニットの向きの決定に際し考慮される、請求項１乃至５のいずれか一項に記載の照明ユニット。
【請求項７】
前記現在向きは、前記センサモジュールのヨーの測定結果を含み、又はこれから導き出される、請求項１乃至６のいずれか一項に記載の照明ユニット。
【請求項８】
前記現在向きは、所定の方向に対する前記照明ユニットのピッチの測定結果、及び所定の方向に対する前記照明ユニットのロールの測定結果のうちの少なくとも１つを含み、又はこれらのうちの少なくとも１つから導き出される、請求項１乃至７のいずれか一項に記載の照明ユニット。
【請求項９】
前記現在向きの前記指標は、前記照明ユニットの３軸向きの指標を含む、請求項２及び７に従属する請求項８に記載の照明ユニット。
【請求項１０】
前記現在向きの前記指標は、北に対する前記照明ユニットの方位角を含む、請求項２及び７に従属する請求項８に記載の照明ユニット。
【請求項１１】
請求項１乃至１０に記載の照明ユニットを１つ又は複数含む、屋外照明器具。
【請求項１２】
請求項１１に記載の屋外照明器具を複数含み、さらに、前記屋外照明器具と通信するネットワークコントローラを含む、屋外照明ネットワーク。
【請求項１３】
前記ネットワークコントローラは、
請求項２に従属する前記屋外照明器具のうちの少なくとも１つの屋外照明器具から前記現在向きの前記指標を受け取り、
前記現在向きの前記指標を前記屋外照明器具のうちの当該少なくとも１つの屋外照明器具の論理アドレスと関連付ける、請求項１２に記載の屋外照明ネットワーク。
【請求項１４】
請求項１２又は１３に記載の屋外照明ネットワークを設置及びコミッショニングする方法であって、
前記複数の屋外照明器具をそれぞれの位置に設置するステップと、
前記ネットワークコントローラを設置するステップと、
前記ネットワークコントローラによって、前記複数の屋外照明器具のそれぞれから前記現在向きの前記指標を受け取るステップと、
前記ネットワークコントローラによって、前記複数の屋外照明器具のそれぞれの前記現在向きの前記指標を、それぞれの論理アドレスと関連付けるステップと
を含む、方法。
【請求項１５】
照明ユニットのコントローラであって、磁気センサモジュールに結合された当該コントローラによって実行されると、前記照明ユニットを、請求項１乃至１０のいずれか一項に記載される照明ユニットとして構成させる、コンピュータプログラム。
【発明の詳細な説明】
【技術分野】
【０００１】
本開示は、一般的に照明ユニットに関連し、特に、１つ又は複数のセンサモジュールを含み、又は１つ又は複数のセンサモジュールに接続された照明ユニットに関連する。また、本開示は、かかる照明ユニットを含む屋外照明器具、及びかかる屋外照明器具のネットワークに関する。
【背景技術】
【０００２】
近年、様々な「知的」屋外照明ネットワークが提案されている。かかる屋外照明ネットワークは、例えば、交通量の変化及び／又は天候の変化に適合することができるという点で「知的」な場合がある。例えば、かかる屋外照明ネットワークは、エネルギーを節約するために、交通量が非常に少ないとき、屋外照明器具を減光するよう構成され得る。あるいは、かかる屋外照明ネットワークは、交通安全性を高めるために、危険な天候のエリアでは、屋外照明器具の明るさを上げるよう構成され得る。
【０００３】
このような「知性」を屋外照明ネットワークに加えることには、通常、照明器具ごとのＢＯＭ（bill of materials）の増加、インフラコストの増加、及び設置／設定費用の増加のうちの少なくとも１つを伴う。
【発明の概要】
【課題を解決するための手段】
【０００４】
本開示の一側面は、屋外照明器具のための照明ユニットを提供する。照明ユニットは、異方性磁気抵抗センサモジュール等の磁気センサモジュールと、センサモジュールに結合されたコントローラとを含む。コントローラは、センサモジュールを使用して、センサモジュールの検出範囲によって定められる領域内の乗り物の交通の測定結果を決定し、センサモジュールを使用して、照明ユニットの現在向きを決定する。
【０００５】
発明者は、例えば、画像センサ（例えば、Philips LumiMotionセンサを参照されたい）等のより一般的に使用されているセンサを使用する代わりに、異方性磁気抵抗（ＡＭＲ）センサモジュールを使用して乗り物の交通の測定結果を決定することには利点があることを認識した。当然ながら、ＡＭＲセンサは比較的コストが低い傾向にあり、よって、その使用はＢＯＭを低減させ得る。発明者は、ＡＭＲセンサは、照明ユニットの現在向きを決定するためにも利用可能であり、よって、追加の用途にも再利用され、１つ又は複数の追加センサを不要にすることにより、ＢＯＭをさらに低減させ得ることを認識した。
【０００６】
乗り物の交通の測定結果は、例えば北に対して表される進行方向測定結果、例えば１時間当たりの乗り物の数によって表される交通量測定結果、例えば自動車又はバイク等の推定される乗り物の種類、及び推定される乗り物のサイズのうちの１つ又は複数を含み得る。
【０００７】
様々な実施形態において、照明ユニットは、屋外照明ネットワークのコントローラと通信するための送信機をさらに含み、照明ユニットコントローラは、さらに、照明ユニットの運転前フェーズ中、送信機を使用して、現在向きの指標をネットワークコントローラに送信する。したがって、有利なことに、様々な実施形態は、設置／設定コストの削減をもたらし得る追加「自動コミッショニング」機能を可能にし得る。すなわち、設置者又は他の技術者によって手作業で照明ユニットの向きを決定し、記録することは時間がかかり、かなり手間がかかり、よって費用が高いからである。
【０００８】
様々な実施形態において、照明ユニットは、屋外照明ネットワークのコントローラと通信するための送信機をさらに含み、照明ユニットの運転フェーズ中、照明ユニットコントローラは、さらに、現在向きの変化の大きさを決定し、変化の大きさが閾値を超えると決定されることに応じて、送信機を使用して、ネットワークコントローラに故障の指標を送信するよう構成され得る。したがって、有利なことに、請求される実施形態は、１つのセンサをさらなる用途、すなわち、例えば照明器具が悪天候のために転倒し又は乗り物によって倒された等の故障の発生を決定するために再利用することにより、ＢＯＭのさらなる節約及び／又は追加機能を提供し得る。
【０００９】
様々な実施形態において、照明ユニットのコントローラは、さらに、乗り物の交通の測定結果が、交通量が閾値未満であることを示すと決定されることに応じて、照明ユニットの光出力を下げるよう構成され得る。したがって、有利には、請求される実施形態は、照明ユニットの光出力をリアルタイムのローカルな要求に適合させることによって省エネルギーを可能にし得る。様々な実施形態において、照明ユニットは自動的に、すなわち、中央コントローラを要することなく減光可能であることを理解されたい。
【００１０】
様々な実施形態において、照明ユニットのコントローラは、乗り物の交通の測定結果を決定する際、向きを考慮に入れるよう構成され得る。例えば、乗り物の交通の測定結果は、進行方向測定結果を含み得る。コントローラは、向き、及び照明ユニットの近傍の道路（又は道路網）の物理的配置に関する保存された情報に基づき、１つ又は複数の推定交通方向を決定するよう構成され得る。推定方向は、進行方向測定結果をより正確に決定するために、センサ測定結果の解釈にあたり使用され得る。
【００１１】
様々な実施形態において、乗り物の交通の測定結果は、進行方向測定結果を含み、進行方向測定結果は、向きの決定に際し考慮され得る。例えば、進行方向測定結果は、照明ユニットの近傍の道路（又は道路網）の物理的配置に関する保存された情報とともに、向きをより正確に決定するために、センサ測定結果の解釈にあたり使用され得る。
【００１２】
様々な実施形態において、現在向きは、センサモジュールのヨーの測定結果を含み、又はこれから導き出され得る。
【００１３】
様々な実施形態において、現在向きは、所定の方向に対する照明ユニットのピッチの測定結果、及び所定の方向に対する照明ユニットのロールの測定結果のうちの少なくとも１つを含み、又はこれらの少なくとも１つから導き出され得る。
【００１４】
様々な実施形態において、現在向きの指標は、照明ユニットの３軸向きの指標を含み得る。
【００１５】
様々な実施形態において、現在向きの指標は、ピッチ補正及び／又はロール補正された北に対する照明ユニットの方位角の指標を含み得る。
【００１６】
本開示の第２の側面は、上記照明ユニットを１つ又は複数含む屋外照明器具を提供する。
【００１７】
本開示の第３の側面は、上記屋外照明器具を複数含み、さらに、屋外照明器具と通信するネットワークコントローラを含む、屋外照明ネットワークを提供する。様々な実施形態において、ネットワークコントローラは、屋外照明器具のうちの少なくとも１つの屋外照明器具から現在向きの指標を受け取り、現在向きの指標を屋外照明器具のうちの当該少なくとも１つの屋外照明器具の論理アドレスと関連付けるよう構成され得る。
【００１８】
本開示の第４の側面は、上記屋外照明ネットワークを設置及びコミッショニングする方法であって、複数の屋外照明器具をそれぞれの位置に設置するステップと、ネットワークコントローラを設置するステップと、ネットワークコントローラによって、複数の屋外照明器具のそれぞれから現在向きの指標を受け取るステップと、ネットワークコントローラによって、複数の屋外照明器具のそれぞれの現在向きの指標を、それぞれの論理アドレスと関連付けるステップとを含む、方法を提供する。
【００１９】
本開示の第５の側面は、照明ユニットのコントローラが磁気センサモジュールに結合されており、照明ユニットのコントローラによって実行されると、照明ユニットを上記照明ユニットの実施形態のいずれかのように構成させるコンピュータプログラムを含むコンピュータプログラム製品を提供する。
【図面の簡単な説明】
【００２０】
【図１】図１は、実施形態に係る屋外照明ネットワークによって照らされる外部空間を示す。
【図２】図２は、屋外照明ネットワークのネットワークコントローラに通信結合された図１の屋外照明ネットワークの照明ユニットを概略的に示す。
【図３ａ】図３ａは、図１の屋外照明ネットワークを設置及びコミッショニングする方法の全体を概略的に示す。
【図３ｂ】図３ｂは、図１の屋外照明ネットワークを設置及びコミッショニングする方法の全体を概略的に示す。
【図４】図４は、照明ユニットのピッチ、ロール、及びヨー軸を示す、図１及び図２の照明ユニットの斜視図である。
【図５】図５は、図２の照明ユニットのセンサモジュールを使用して乗り物の交通の測定結果を決定する方法をまとめたフローチャートである。
【図６】図６は、図１の屋外照明ネットワークの照明器具によって、照明器具が故障したことを屋外照明ネットワークのコントローラに示す方法をまとめたフローチャートである。
【図７】図７は、センサモジュールの検出領域内の乗り物に対する図２の照明ユニットのセンサモジュールの反応の例を示す。
【発明を実施するための形態】
【００２１】
図１を参照して、一実施形態に係る屋外照明ネットワーク１００は、この例では道路網の一部である屋外空間を照らすよう構成される。屋外照明ネットワーク１００は、複数の照明器具１０５を含む。屋外照明ネットワーク１００は、さらに、照明器具１０５と通信するネットワーク制御システムを含む（図１には図示されていない；図２の２３５参照）。
【００２２】
各照明器具１０５は、図１に示されるように、１つ又は２つの照明ユニット１１０を含む。（他の実施形態では、各照明器具１０５が３つ以上の照明ユニット１１０を含んでもよい）。各照明器具１０５は、さらに、地面に固定され、地表から所定の距離（例えば、３ｍ）離して照明ユニット１１０を支持するよう構成された垂直ポールを含む。
【００２３】
図２を参照して、各照明ユニット１１０は、１つ又は複数の光源２００、光源２００に接続された電源回路２０５（以下、「ドライバ」と称す）、及びドライバ２０５に接続されたコントローラ２１０（以下、「照明コントローラ」と称す）を含む。各照明ユニット１１０は、さらに、照明コントローラ２１０に接続された、本実施形態ではＡＭＲセンサモジュール２１５である磁気センサモジュール２１５、照明コントローラ２１０に接続されたオプションのＧＰＳ（global positioning system）モジュール２２０（点線で図示）、及び照明コントローラ２１０に接続された送信機２２５を含む。照明コントローラ２１０は、メモリ２１０ａを含む。送信機２２５は、ネットワーク制御システム２３５の受信機２３０にデータを送信するのに適している。
【００２４】
ネットワーク制御システム２３５は、さらに、受信機２３０に接続され、受信機２３０からデータを受け取って処理するよう構成されたコントローラ２４０（以下、「ネットワークコントローラ」と称す）を含む。
【００２５】
送信機２２５及び受信機２３０は、それぞれ送受信機の一部であってもよく、その場合、照明ユニット１１０及びネットワーク制御システム２３５間での双方向通信が可能になる。
【００２６】
様々な実施形態において、光源２００、ドライバ２０５、ＡＭＲセンサモジュール２１５、ＧＰＳモジュール２２０、送信機／送受信機２２５、及び受信機／送受信機２３０のうちの１つ又は複数が、それ自体は当業者に知られたものであってもよい。したがって、本明細書では、これらの構成要素自体については詳細に説明しない。
【００２７】
次に、図３ａ及び図３ｂを参照しながら屋外照明ネットワーク１００を設置及びコミッショニングする方法３００について述べる。
【００２８】
図３ａを参照して、方法３００は、（ステップＳ３００において）ネットワークコントローラ２４０を設置及び少なくとも部分的に設定するステップと、（ステップＳ３０５において）照明器具１０５を設置及び少なくとも部分的に設定するステップとを含む。ネットワークコントローラ２４０及び照明器具１０５は、様々な異なる順序で設置及び設定され得ることを理解されたい。例えば、照明器具１０５の一部又は全てがネットワークコントローラ２４０の設置前に設置され、別の後の段階で設定が行われてもよい。
【００２９】
次に、図３ｂを参照して、各照明器具１０５を設置及び少なくとも部分的に設定するステップ（すなわち、ステップＳ３０５）は、以下のサブステップを含む。
【００３０】
まず、照明コントローラ２１０は、ＡＭＲセンサモジュール２１５を起動する（サブステップＳ３０５−０において）。
【００３１】
起動後、ＡＭＲセンサモジュール２１５は地磁気を測定する（サブステップＳ３０５−０５において）。測定結果は、ＡＭＲセンサモジュール２１５のメモリ（不図示）に保存され得る。測定結果は、照明コントローラ２１０のメモリ２１０ａに保存されてもよい。
【００３２】
その後、照明コントローラ２１０はＡＭＲセンサモジュール２１５を使用して、サブステップＳ３０５−０５において取得された測定結果に基づき、照明ユニット１１０の現在の向きを決定する（サブステップＳ３０５−１０において）。具体的には、ＡＭＲセンサモジュール２１５は自身の現在の向きを求め、照明コントローラ２１０は、照明ユニット１１０に対するＡＭＲセンサモジュール２１５の向きに基づき、それを照明ユニット１１０の現在の向きに変換する。
【００３３】
ＡＭＲセンサモジュール２１５は、慣用的な方法を使用して、自身の現在向きを求める。一旦図４を参照して、ＡＭＲセンサモジュール２１５の現在向きは、ＡＭＲセンサモジュール２１５のヨーの測定結果を含み、又はこれから導き出され得る。例えば、ヨーの測定結果は、磁北に対するＡＭＲセンサモジュール２１５の方位角を含み得る。様々な実施形態が、ＡＭＲセンサモジュール２１５のヨーの測定結果から照明ユニット１１０のヨー（Ｙ）の測定結果を導き出すよう構成され得る。現在向きは、さらに、所定の方向に対する照明ユニット１１０のピッチ（Ｐ）の測定結果、及び／又は所定の方向に対する照明ユニット１１０のロール（Ｒ）の測定結果を含み得る。
【００３４】
図３ｂに戻り、照明コントローラ２１０は、（サブステップＳ３０５−１５において）ネットワークコントローラ２４０に現在向きの指標を送信することによってステップＳ３０５を完了する。直前の２つの段落から理解されるように、現在向きの指標は、照明ユニット１１０の３軸向きを示し得る。あるいは、現在向きの指標は、磁北に対する照明ユニット１１０の方位角のピッチ補正及び／又はロール補正された指標を含み得る。照明ユニット１１０がＧＰＳユニット２２０を含む実施形態では、照明コントローラ２１０は、照明ユニット１１０の位置を示すＧＰＳ座標を含む現在位置の指標も送信してもよい（ステップＳ３０５において）。
【００３５】
再び図３ａを参照して、方法３００は、さらに、（ステップＳ３１０において）ネットワークコントローラ２４０によって、各照明器具１０５から向き情報を受け取ることを含む。各照明器具１０５からの向き情報は、（サブステップＳ３０５−１５において送信された）現在向きの指標を含む。照明ユニット１１０がＧＰＳユニット２２０を含む実施形態では、ネットワークコントローラ２４０は、各照明器具１０５から位置情報も受け取り得る（ステップＳ３１０において）。各照明器具１０５からの位置情報は、（サブステップＳ３０５−１５において送信された）現在位置の指標を含む。
【００３６】
方法３００は、さらに、ネットワークコントローラ２４０によって、（ステップＳ３１５において）向き情報を対応する照明器具１０５の識別子と関連付けることを含む。例えば、ネットワークコントローラ２４０は、ネットワークコントローラ２４０のメモリ（不図示）内に保存されたルックアップテーブルに、向き情報及びマッチする識別子を入力し得る。ステップＳ３１５の後、方法３００は終了する。
【００３７】
好適には、ネットワークコントローラ２４０は、互いに近くに配置された２つ以上の照明ユニット１１０、例えば、同じ照明器具１０５からの（よって、ＧＰＳ座標が非常に似ている）２つ以上の照明ユニット１１０を区別するために向き情報を使用することができる。図１に示される種類のツイン照明ユニット照明器具１０５に関して、例えば、所与の照明器具１０５の２つの照明ユニット１１０からのヨー測定結果は、ほぼ１８０°異なる。例えば、ネットワークコントローラ２４０は、両者が類似するＧＰＳ座標を有するため、東向き照明ユニット１１０及び西向き照明ユニット１１０がともに所与の照明器具１０５に含まれていると決定することができる（所与の照明器具１０５は、ＧＰＳ座標から特定可能である）。また、ネットワークコントローラ２４０は、道路網に対して所与の照明器具１０５が配置されている位置を示す照明配置図から、西向き照明ユニット１１０は南行き車線を照らすよう配置されているものであり、東向き照明ユニット１１０は対応する北行き車線を照らすよう配置されているものであることを決定できる。したがって、向き情報は、特に位置情報とともに、照明ネットワーク１００の「自動コミッショニング」を可能にし得る。
【００３８】
また、様々な実施形態において、照明ユニット１１０は、対応する照明器具１０５に対して異なる向きに取り付けられ得る。かかる実施形態では、向き情報は、所与の照明ユニット１１０が、例えば照明配置図に定められている当該照明ユニット１１０の意図された向きに従って取りつけられたかを決定するために使用され得る。
【００３９】
全ての照明器具１０５が設置され、（少なくとも部分的に）設定され、ネットワークコントローラ２４０において向き情報が対応する照明器具１０５の識別子と関連付けられた後、屋外照明ネットワーク１００の「運転前」フェーズは完了し、「運転フェーズ」が開始し得る。次に、屋外照明ネットワーク１００のいくつかのオプションの運転フェーズ挙動を説明する。
【００４０】
図５を参照して、交通量を測定するためにＡＭＲセンサモジュール２１５を使用する方法５００を説明する。測定結果は、例えば４〜１２ｍであり得る、ＡＭＲセンサモジュール２１５の検出範囲によって定められる領域（以下、検出領域と称す）内の交通量を表す。
【００４１】
まず（ステップＳ５００において）、オプションで、照明コントローラ２１０は、ＡＭＲセンサモジュール２１５を使用して、所定の期間にわたり地磁気を測定する。
【００４２】
次に（ステップＳ５０５において）、オプションで、照明コントローラ２１０は、ステップＳ５００中に収集された磁場測定結果における変化を特定し、これらの変化を統計分析することにより、検出領域内の環境の１つ又は複数の特性を決定する。例えば、照明コントローラ２１０は、変化が、検出領域を通過する乗り物に起因するものであり、よって、道路車線（又はその一部）が検出領域を通ること、及びその大体の方向を決定することができる。このオプションのステップの一部として、照明コントローラ２１０は、交通量の測定において後に使用するために、決定した１つ又は複数の特性を保存する。
【００４３】
次に、照明コントローラ２１０は、ＡＭＲセンサモジュール２１５を使用して複数の地磁気の測定結果を取得し（ステップＳ５１０において）、その後、所定の「乗り物閾値」を超える磁場測定結果の変化が存在するか否かを決定する（ステップＳ５１５において）。乗り物閾値は、使用されるセンサの種類、センサの取り付け位置、及びモニタリングされる交通の種類のうちの少なくとも１つに基づき、通常の実験によって取得され得る。
【００４４】
所定の乗り物閾値を超える磁場測定結果の変化が存在しない場合、照明コントローラは、ステップＳ５１０及びＳ５１５を繰り返す。
【００４５】
所定の乗り物閾値を超える磁場測定結果の変化が存在する場合、照明コントローラ２１０は、乗り物が検出領域を通過したと決定する（ステップＳ５２０において）。その後、照明コントローラ２１０は、乗り物が検出領域を通過した時間、乗り物の進行方向等の関連情報をメモリ２１０ａ（又は他の場所）に保存し得る。
【００４６】
方法５００は、交通量の測定結果を経時的に決定するために、繰り返し実行されてもよい。
【００４７】
次に、図６を参照して、ネットワークコントローラ２４０に故障を知らせる方法６００を説明する。
【００４８】
まず（ステップＳ６００において）、照明コントローラ２１０は、ＡＭＲセンサモジュール２１５を使用して複数の地磁気の測定結果を取得する。このステップは、他の方法又はプロセス、例えば、ＡＭＲセンサモジュール２１５を使用して交通量の測定結果を決定する上記方法５００の一部として実行されていてもよい。
【００４９】
次に（ステップＳ６０５において）、照明コントローラ２１０は、所定の「故障閾値」を超える磁場測定結果の変化が存在するか否かを決定する（ステップＳ５１５において）。故障閾値は、使用されるセンサの種類、センサの取り付け位置、及び（強風等の）特定の天候下である程度「揺れ動く」ことが想定されるポールに取り付けられる等のセンサ取り付け態様のうちの少なくとも１つに基づき、通常の実験によって取得され得る。
【００５０】
所定の故障閾値を超える磁場測定結果の変化が存在しない場合、照明コントローラはステップＳ６００及びＳ６０５を繰り返す。
【００５１】
所定の故障閾値を超える磁場測定結果の変化が存在する場合、照明コントローラ２１０は、故障が発生したと、例えば、照明器具１０５が倒れた又は倒されたと決定する（ステップＳ６１０において）。その後、照明コントローラ２１０は、故障の指標をネットワークコントローラ２４０に送信し得る。
【００５２】
方法６００は、故障発生後すぐに故障を検出するために、継続的に実行されてもよい。
【００５３】
上記方法３００、５００、６００は、例えば、当業者によって理解されるように、適切なコンピュータプログラムを実行する１つ又は複数の汎用プロセッサによって実行され得る。
【００５４】
参考として、及び上記のより良い理解のために、図７は、一実施形態に係るＡＭＲセンサモジュール２１５によって取得された実験による測定結果を示す。縦軸はＡＭＲセンサモジュール２１５の反応の大きさを表し、横軸は時間を表す。図７に示されるように、時間Ｔ１の間にＡＭＲセンサモジュール２１５の検出領域を通過する自動車は、所定の乗り物閾値を超える磁場測定結果の変化を引き起こし、よって、照明コントローラ２１０は、乗り物が検出領域を通過したと決定する。また、図７に示されるように、時間Ｔ２の間にＡＭＲセンサモジュール２１５の検出領域を通過するバンは、所定の乗り物閾値を超える磁場測定結果のより大きな変化を引き起こし、よって、照明コントローラ２１０は、より大きな乗り物が検出領域を通過したと決定する。
【００５５】
上記は例示に過ぎない。当業者は、特許請求の範囲に含まれる多数の改変例及び他の実施形態を理解する。例えば、様々な実施形態において、ステップＳ５１５及びＳ５２０が（少なくとも部分的に）ネットワークコントローラ２４０によって実行されてもよいこと、すなわち、照明ユニット１１０がセンサ測定結果を取得し、交通量を測定するための処理を行うネットワークコントローラ２４０に送信してもよいことが理解される。ステップＳ６０５及びＳ６１０についても同様である。
【００５６】
上記は、ＡＭＲセンサモジュール２００について議論する。本明細書で使用される「センサモジュール」との用語は、同じ又は異なる種類の１つ又は複数のセンサを含む装置を指す。ＡＭＲセンサモジュール２００は、少なくとも１つのＡＭＲセンサを含む。所与のセンサモジュールユニットは、様々なセンサ取り付け構成、筐体／ハウジング構成及び形状、並びに／又は電気的及び機械的接続構成のうちの任意のものを有し得る。さらに、所与のセンサモジュールは、オプションで、センサの動作に関係する様々な他のコンポーネント（例えば、制御回路）と関連付けられてもよい（例えば、含み、結合され、及び／又は一緒にパッケージされる）。
【００５７】
上記は、光源２００について議論する。「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００５８】
上記は、照明ユニット１１０について議論する。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。
【００５９】
上記は、照明器具１１０について議論する。「照明器具」との用語は、本明細書では、特定の形状因子、アセンブリ又はパッケージの１つ以上の照明ユニットの実施態様又は配置を指すために使用される。
【００６０】
上記は、照明コントローラ２１０及びネットワークコントローラ２４０について議論する。「コントローラ」という用語は、本明細書では概して１つ又は複数の光源の動作に関係する様々な機器を表現するために使われる。コントローラは、本明細書で論じられる様々な機能を実行するために多数の方法で実装され得る（例えば専用ハードウェアによってなど）。「プロセッサ」は、本明細書で論じられる様々な機能を実行するためにソフトウェア（例えばマイクロコード）を使用してプログラムされ得る１つ又は複数のマイクロプロセッサを用いるコントローラの一例である。コントローラは、プロセッサを使って又は使わずに実装されても良く、一部の機能を実行するための専用ハードウェアと他の機能を実行するためのプロセッサとの組合せ（例えば１つ又は複数のプログラムされたマイクロプロセッサと関連する回路）としても実装され得る。本開示の様々な実施形態で使用され得るコントローラ部品の例は、これだけに限定されないが、従来のマイクロプロセッサ、特定用途向け集積回路（ＡＳＩＣ：application specific integrated circuit）、及び書替え可能ゲートアレイ（ＦＰＧＡ：field-programmable gate array）を含む。様々な実装形態において、プロセッサ又はコントローラは、１つ又は複数の記憶媒体（本明細書では一般に「メモリ」と呼ばれる、例えばＲＡＭ、ＰＲＯＭ、ＥＰＲＯＭ、ＥＥＰＲＯＭやフラッシュメモリ、フロッピディスク、コンパクトディスク、光学ディスク、磁気テープなどの揮発性及び不揮発性コンピュータメモリ）に関連しても良い。一部の実装形態では、１つ若しくは複数のプロセッサ及び／又はコントローラ上で実行されるとき、本明細書で論じられる機能の少なくとも一部を実行する１つ又は複数のプログラムによって記憶媒体が符号化されても良い。様々な記憶媒体はプロセッサ若しくはコントローラ内に固定されてもよく、又は、本明細書で論じられる本発明の様々な態様を実施するために、記憶媒体上に記憶された１つ又は複数のプログラムがプロセッサ又はコントローラ内にロードされ得るように、可搬式とすることができる。
【００６１】
本明細書では、「送信機」、「受信機」、及び「送信機」との用語は一般的な意味で使用され、それぞれ、信号を送信し、信号を受信し、及び信号を送受信するのに適した任意の種類の装置を指す。
【００６２】
本明細書では、「プログラム」又は「コンピュータプログラム」との用語は一般的な意味で使用され、１つ又は複数のプロセッサ又はコンピュータをプログラミングするのに使用可能な任意の種類のコンピュータコード（例えば、ソフトウェア又はマイクロコード）を指す。
【００６３】
上記は、屋外照明ネットワーク１００について議論する。本明細書で使用するとき、「ネットワーク」という用語は、ネットワークに結合される２台以上の任意の装置間及び／又は複数の装置間の（例えば装置制御、データ記憶、データ交換等のための）情報の搬送を助ける、２台以上の装置（コントローラやプロセッサを含む）の任意の相互接続を指す。容易に理解されるように、複数の装置を相互接続するのに適したネットワークの様々な実装形態は、多岐にわたるネットワークトポロジの何れかを含むことができ、多岐にわたる通信プロトコルの何れを使用しても良い。更に、本開示による様々なネットワークでは、２台の装置間の任意の１つの接続が２つのシステム間の専用接続、又は非専用接続に相当し得る。２台の装置を対象とした情報を運ぶことに加え、かかる非専用接続は必ずしも２台の装置の何れも対象としない情報を運ぶこともある（例えばオープンネットワーク接続）。
【００６４】
本発明は、特定のデータ受信方法、又は特定のデータ送信方法には限定されない。
【００６５】
以下に更に詳細に論じられる前述の概念及び追加の概念の全ての組合せが、（そのような概念が互いに矛盾しないと仮定して）本明細書で開示される独創的な主題の一部として考えられることが理解されるべきである。特に、本開示の最後に現れる特許請求される主題の全ての組合せが、本明細書で開示される進歩性のある主題の一部として考えられる。
【図１】
2017501547.tif 000003
【図２】
2017501547.tif 000004
【図４】
2017501547.tif 000005
【図７】
2017501547.tif 000006
【図３ａ】
2017501547.tif 000007
【図３ｂ】
2017501547.tif 000008
【図５】
2017501547.tif 000009
【図６】
2017501547.tif 000010
【国際調査報告】
2017501547.tif 000011
2017501547.tif 000012
2017501547.tif 000013